(57)【要約】【課題】外観が良好な袖パネルを提供する。袖部にインターフォンを設けた場合に、インターフォンのメンテナンスを良好に行えるようにする。交換が可能な袖パネルを提供する。【解決手段】左右の竪枠３，４と左右の竪枠３，４間に設けた中竪枠７とを有する枠体に設けられる袖パネル６を備えた扉体である。扉体５は一方の竪枠４を戸尻側、中竪枠７を戸先側として竪枠４に回動可能に装着されている。袖パネル６は他方の竪枠３を戸尻側、中竪枠７を戸先側として竪枠３に回動可能に装着されている。常時は、袖パネル６の戸先側は中竪枠７に着脱自在に固定されている。中竪枠７の扉体側壁面７０には切欠部７４が形成されていると共に切欠部７４にはストライク１０が着脱自在に装着されており、パネル側壁面７１には切欠部７４に対応する部位に螺子孔が形成されており、常時は、袖パネル６の戸先側端面６２は中竪枠７の中空部側から螺挿する螺子１１によってパネル側壁面７１に着脱可能に装着されており、螺子１１の頭部はストライク１０によって被覆されている。【選択図】図３
2005016142.tif 000002
【特許請求の範囲】
【請求項１】
左右の竪枠と該左右の竪枠間に設けた中竪枠とを有する枠体に設けられる扉装置であって、該扉装置は扉体と袖パネルを有しており、該扉体は一方の竪枠を戸尻側、該中竪枠を戸先側として該一方の竪枠に対して回動可能に装着されており、該袖パネルは他方の竪枠を戸尻側、該中竪枠を戸先側として該他方の竪枠に対して回動可能に装着されており、該中竪枠は該袖パネル及び該扉体の戸先側竪枠を兼用しており、常時は、該袖パネルの戸先側は該中竪枠に着脱自在に固定されていることを特徴とする可動式袖パネルを備えた扉装置。
【請求項２】
請求項１において、該中竪枠は中空部材であると共に、該扉体の戸先側端面に対向する扉体側壁面と、該袖パネルの戸先側端面に対向するパネル側壁面を有し、該扉体側壁面には切欠部が形成されていると共に該切欠部にはストライクが着脱自在に装着されており、該パネル側壁面には該切欠部に対応する部位に螺子孔が形成されており、常時は、該袖パネルの戸先側端面は該中竪枠の中空部側から螺挿する螺子によって該パネル側壁面に着脱可能に装着されており、該螺子の頭部は該ストライクによって被覆されており、該ストライクを取り外して該螺子の頭部を露出させ、該螺子を取り外すことで、該袖パネルは回動可能となることを特徴とする可動式袖パネルを備えた扉装置。
【請求項３】
請求項１，２いずれかにおいて、該袖パネルは、袖パネル内側に設けた隠し丁番を介して該他方の竪枠に回動自在に装着されており、該丁番は該他方の竪枠に着脱可能に装着されており、該丁番を該他方の竪枠から取り外すことで、該袖パネルを該枠体から取り外し可能に構成したことを特徴とする可動式袖パネルを備えた扉装置。
【請求項４】
請求項１乃至３いずれかにおいて、該袖パネルは前面部と端面とを有し、該前面部及び該端面は板状体の周縁部位を折曲することで一体的に形成されており、該板状体の端縁の切断面が露出しないようにしたことを特徴とする可動式袖パネルを備えた扉装置。
【請求項５】
請求項１乃至４いずれかにおいて、該中竪枠を境として一方が開口部側、他方が躯体側であり、該袖パネルは該躯体側に設けてあり、該袖パネルにはインターフォンおよび／あるいは新聞受けが設けてあることを特徴とする可動式袖パネルを備えた扉装置。
【発明の詳細な説明】
【０００１】
【発明の属する技術分野】
本発明は、建物開口部を開閉する扉体の隣の袖部に設けた袖パネルに係り、詳しくは、枠体に対して回動可能な可動式袖パネルを備えた扉装置に関するものである。
【０００２】
【従来の技術】
通常、玄関ドアの袖部に表札やインターフォン、新聞受け等を設けるが、外観の美観上の観点から、該袖部の意匠性を向上させたい場合がある。例えば、玄関ドアを構成する扉体の面部と同じ色で袖部を構成したいという要望がある。
【０００３】
しかしながら、袖部の枠に化粧鋼板を直接貼るとすると、化粧鋼板の端部の切断面が露出してしまい美観を損ねてしまうことになる。特に、切断面に錆が発生したような場合には問題となる。また、化粧鋼板に傷がついた場合には、袖部の枠に化粧鋼板が貼り付けられているので、化粧鋼板の取替えが困難であるとう不具合がある。
【０００４】
また、袖部にインターフォンを設ける場合に、インターフォンフェイスの正面に螺子を見せたくないという要望がある。また、インターフォン子機が埋め込みタイプの場合は、正面から外すことができず、インターフォンのメンテナンスができないという不具合がある。さらに、新聞受け等を取り付ける場合にも、正面に螺子を見せたくないという要望がある。
【０００５】
【発明が解決しようとする課題】
本発明は、上記不具合を解決するために創案されたものであって、外観が良好な袖パネルを備えた扉装置を提供することを目的とするものである。本発明の他の目的は、袖部にインターフォンを設けた場合に、インターフォンのメンテナンスを良好に行うことができる扉装置を提供することにある。本発明の他の目的は、交換が可能な袖パネルを備えた扉装置を提供することにある。
【０００６】
【課題を解決するための手段】
かかる課題を達成するために本発明が採用した技術手段は、左右の竪枠と該左右の竪枠間に設けた中竪枠とを有する枠体に設けられる扉装置であって、該扉装置は、扉体と袖パネルを有しており、該扉体は一方の竪枠を戸尻側、該中竪枠を戸先側として該一方の竪枠に対して回動可能に装着されており、該袖パネルは他方の竪枠を戸尻側、該中竪枠を戸先側として該他方の竪枠に対して回動可能に装着されており、該中竪枠は該袖パネル及び該扉体の戸先側竪枠を兼用しており、常時は、該袖パネルの戸先側は該中竪枠に着脱自在に固定されていることを特徴とするものである。
【０００７】
好ましくは、該中竪枠は中空部材であると共に、該扉体の戸先側端面に対向する扉体側壁面と、該袖パネルの戸先側端面に対向するパネル側壁面を有し、該扉体側壁面には切欠部が形成されていると共に該切欠部にはストライクが着脱自在に装着されており、該パネル側壁面には該切欠部に対応する部位に螺子孔が形成されており、常時は、該袖パネルの戸先側端面は該中竪枠の中空部側から螺挿する螺子によって該パネル側壁面に着脱可能に装着されており、該螺子の頭部は該ストライクによって被覆されており、該ストライクを取り外して該螺子の頭部を露出させ、該螺子を取り外すことで、該袖パネルは回動可能となることを特徴とする。中竪枠の扉体側壁面に設ける切欠部の個数は限定されず、例えば、扉体の戸先側端面において、ラッチとデッドボルトが上下に間隔を存した部位からそれぞれ突出するような場合には、ラッチ、デッドボルトに対応して２つのストライクが必要となり、中竪枠の扉体側壁面には上下方向に間隔を存して２つの切欠部が設けられる。この場合、袖パネルの戸先側端面は、上下方向に間隔を存した２箇所で中竪枠のパネル側壁面に螺子を用いて固着される。
【０００８】
好ましくは、該袖パネルは、袖パネル内側に設けた隠し丁番を介して戸尻側竪枠に回動自在に装着されており、該丁番は該戸尻側竪枠に着脱可能に装着されており、該丁番を該戸尻側竪枠から取り外すことで、該袖パネルを該枠体から取り外し可能に構成される。
【０００９】
好ましくは、該袖パネルは見付面を構成する前面部と見込面を構成する端面とを有し、該前面部及び該端面は板状体の周縁部位を折曲することで一体的に形成されており、該板状体の端縁の切断面が露出しないようにする。さらに好ましくは、見込面を構成する端面の端縁をさらに折曲することで、板状体の切断面をパネルの背面に位置させる。
【００１０】
好ましくは、該中竪枠を境として一方が開口部側、他方が躯体側であり、該袖パネルは該躯体側に設けてあり、該袖パネルにはインターフォンおよび／あるいは新聞受けが設けてある。
【００１１】
【発明の実施の形態】
図１は、袖パネル付き扉体の正面図、図２は扉体及び袖パネルの縦断面図、図３は袖パネル付き扉体の横断面図である。建物躯体に設けた上枠１、下枠２、左右の竪枠３，４からなる四周状の枠体には扉体５および袖パネル６が装着されている。袖パネル６は枠体とは別部材で構成されており、後述するように、枠体に対して回動自在であると共に、枠体から取り外し可能に構成されている。
【００１２】
四周枠には左右の竪枠３，４と平行して垂直方向に延出する中竪枠７が設けてあり、中竪枠７を境に左右の一方が建物開口部、他方が躯体側となっている。建物開口部は、上枠１、下枠２、右側の竪枠４、中竪枠７から構成されており、扉体５によって該建物開口部を開閉するように構成されている。扉体５は、戸尻側に竪枠４、戸先側に中竪枠７が位置するようになっている。
【００１３】
扉体５は、正面視長方形状であり、一方の側部が丁番８を介して竪枠４に連結してあり、竪枠４を戸尻側として建物開口部を開閉する。扉体５の面部には、戸先側に近接して、扉体５の高さの略中央部位に位置して取手９が設けてある。扉体５の内部には戸先側に近接して錠前装置が内装されている。取手９はいわゆるプッシュプル錠を構成しており、取手９のプッシュプル操作によって、扉体５に内装された錠前装置の図示しないラッチが扉体５の戸先側の端面５０から突出するようになっており、キー操作により図示しないデッドボルトが戸先側の端面５０から突出した状態で固定される。扉体５に設けられる取手の種類や錠前装置はプッシュプル錠に限定されるものではなく、扉体５の戸先側端面からラッチおよび／あるいはデッドボルトが突出して、突出したラッチおよび／あるいはデッドボルトが中竪枠７に設けたストライクに係止するものであれば、他のいかなる取手・錠前装置でもよい。
【００１４】
袖パネル６は、パネルの見付面を構成する縦長長方形状の前面部６０と、パネルの見込面を構成する左右の端面６１，６２及び上下の端面６３，６４とを有しており、背面側は開放状となっている。袖パネル６の前面部６０、左右の端面６１，６２、上下の端面６３，６４は一枚の板材を折曲して形成されており、左右の端面６１，６２、上下の端面６３，６４の端縁はさらに折曲されており、板材の端縁の切断面は袖パネル６の背面側に位置するようになっている。こうすることで、板材の切断面が袖パネルの前面側に露出することがなく、切断面に錆が発生しても問題が少ない。袖パネル６の前面部６０の戸先側は端面６２を越えて延出する延出片６５が形成されており、延出片６５が中竪枠７の前面の一部を被覆している。図３のものでは、互いに直交する二つの片からなる断面視Ｌ形状の部材の一方の片を袖パネル６の戸先側に装着することで他方の片が戸先側延出片６５を構成している。袖パネル６の戸先側の端面は２枚の板材から構成されている。一方、図４のものでは、戸先側延出片６５は前面部６０を構成する板状体を折曲することで一体的に形成されている。袖パネル６の戸先側端面の内側には断面視Ｌ形状の部材が設けてあり、このものでも、袖パネル６の戸先側の端面は２枚の板材から構成されている。
【００１５】
図２、図３のものでは、袖パネル６の前面部には薄肉の化粧鋼板６００が張設してあるが、化粧鋼板６００の縁部は折曲されて、袖パネル６の戸尻側端面６１、戸先側延出片６５の裏面、上側端面６３、下側端面６４に位置して装着してあるので、化粧鋼板６００の端部の切断面が露出することがない。図３のものでは、断面視Ｌ形状の部材を袖パネル６の戸先側に装着することで戸先側延出片６５を構成しているが、袖パネル６と該Ｌ形状部材の継部は化粧鋼板６００に隠蔽されているので見栄えもよい。
【００１６】
図４のものでは、袖パネル６の前面部６０を構成する板状体が化粧板を構成しているが、板状体の縁部は、折曲されて、袖パネルの背面に位置させてあるので、板状体の端部が露出することがない。戸先側延出片６５も前面部６０を構成する板状体を折曲することで形成されており、板状体の端部は袖パネルの背面に位置させてあるので、端部が露出することがない。
【００１７】
袖パネル６の前面部６０には、上から、室名札６６、インターフォンパネル６７、上部ガイド（新聞受）６８、下部ガイド６９が設けられる。袖パネル６の背面部の後側には空間が形成されていると共に、さらにその後側には建物躯体を構成する壁が位置している。
【００１８】
中竪枠７は、左右の竪枠３，４間に位置して垂直方向に延出する中空状の長尺部材であり、扉体５の戸先側の端面５０に対向する側壁７０と袖パネル６の戸先側の端面６２に対向する側壁７１とを有しており、中竪枠７は、扉体５および袖パネル６の戸先側竪枠を兼用している。中竪枠７はさらに前面壁７２、背面壁７３を有しているが、中竪枠７の形状や構成は図示のものに限定されるものではなく、また、中竪枠７は１部材でも、あるいは複数の部材を組み合わせて構成したものでもよい。
【００１９】
中竪枠７の扉体５に面する側壁７０には、扉体５の錠前装置のラッチおよび／あるいはデッドボルトが突出する位置に合わせて切欠部７４が形成されており、切欠部７４には螺子を介してストライク１０が着脱可能に装着されている。ストライク１０は、一つの例では、開口状のボックスと該ボックスの開口部に装着されるストライクプレートとを有する。尚、ラッチとデッドボルトの突出位置が離れている場合、あるいは、さらに他の錠が設置されているような場合には、中竪枠７の扉体５に面する側壁７０に複数の切欠部７４を形成し、それぞれの切欠部７４にストライク１０を装着する場合もある。
【００２０】
中竪枠７の袖パネル６の戸先側端面６２に面する側壁７１には、対向する他の側壁７０の切欠部７４に対応する位置に螺子孔が貫設されており、ストライク１０を取り外した状態では、切欠部７４を介して該螺子孔が露出することになる。一方、袖パネル６の戸先側端面６２にも側壁７１の該螺子孔に対応する位置に螺子孔が形成されている。戸先側端面６２が互いに密着する２つの板材から構成されている場合には、双方の板材に螺子孔が形成されている。中竪枠７の中空部側から側壁７１の該螺子孔に螺子１１を螺挿させることで、螺子１１によって、側壁７１と袖パネル６の戸先側端面６２とを螺着するようになっている。
【００２１】
袖パネル６の戸尻側は、竪枠３に対して隠し丁番１２を介して回動可能に装着されている。隠し丁番１２は袖パネル６の内部に設けてあり、丁番１２が外部に露出することがない。常時は、袖パネル６の戸先側端面６２は螺子１１によって中竪枠７の側壁７１に固着されており、袖パネル６は上枠１、下枠２、竪枠３、中竪枠７で構成された枠体内に納まっている。螺子１１を取り外すと、袖パネル６の戸先側は自由端となり、袖パネル６は竪枠３を戸尻側として回動自在となる。隠し丁番１２は図示しない螺子を介して竪枠３に着脱自在に設けてあり、丁番１２を竪枠３から取り外すことで、袖パネル６を枠体から取り外すことができる。
【００２２】
袖パネル６の前面にインターフォンパネル６７や新聞受６８が取り付けられるが、螺子１１を外すことで、袖パネル６は枠体に対して回動させることができるので、袖パネル６の裏面側から、インターフォンパネル６７や新聞受６８を取り付けることができ、袖パネル６の裏面側から螺子等で固定することができ、袖パネル６の前面に螺子が露出することがない。インターフォンのメンテナンスの必要がある場合には、螺子１１を取り外して、袖パネル６を回動させることで、袖パネル６の裏面側に設けた子機等のメンテナンスを容易に行うことができる。また、袖パネル６は枠体から取り外すことができるので、袖パネル６の前面部６０に傷がついた場合には、袖パネル６を交換することができる。
【００２３】
【発明の効果】
本発明は、左右の竪枠と該左右の竪枠間に設けた中竪枠とを有する枠体に設けられる扉装置であって、該扉装置は扉体と袖パネルを有しており、該扉体は一方の竪枠を戸尻側、該中竪枠を戸先側として該一方の竪枠に対して回動可能に装着されており、該袖パネルは他方の竪枠を戸尻側、該中竪枠を戸先側として該他方の竪枠に対して回動可能に装着されており、該中竪枠は該袖パネル及び該扉体の戸先側竪枠を兼用しており、常時は、該袖パネルの戸先側は該中竪枠に着脱自在に固定されているものであり、袖パネルを回動可能としたので、インターフォンや新聞受け等を袖パネルに装着する場合に、袖パネルの裏面側から螺子等で取り付けることができ、袖パネル前面に螺子を露出させないようにすることができる。また、袖パネルを回動可能とすることで、インターフォンのメンテナンスを容易に行うことができる。また、袖パネルの前面部自体を化粧鋼板とすることができるので、袖部の枠に直接化粧鋼板を貼り付けた場合のように化粧鋼板の端部の切断面が露出するようなことがない。
【００２４】
さらに、該中竪枠は中空部材であると共に、該扉体の戸先側端面に対向する扉体側壁面と、該袖パネルの戸先側端面に対向するパネル側壁面を有し、
該扉体側壁面には切欠部が形成されていると共に該切欠部にはストライクが着脱自在に装着されており、該パネル側壁面には該切欠部に対応する部位に螺子孔が形成されており、常時は、該袖パネルの戸先側端面は該中竪枠の中空部側から螺挿する螺子によって該パネル側壁面に着脱可能に装着されており、該螺子の頭部は該ストライクによって被覆されており、該ストライクを取り外して該螺子の頭部を露出させ、該螺子を取り外すことで、該袖パネルは回動可能となるようにしたものでは、通常の中竪枠の構成に大きな変更を加えることなく、袖パネルの戸先側を固定する螺子が中竪枠の面部に露出しないようにすることができ、美観において優れる。
【００２５】
さらに、該袖パネルは、袖パネル内側に設けた隠し丁番を介して袖パネルの戸尻側竪枠を構成する他方の竪枠に回動自在に装着されており、該丁番は該戸尻側竪枠に着脱可能に装着されており、該丁番を該戸尻側竪枠から取り外すことで、該袖パネルを該枠体から取り外し可能に構成したものでは、丁番が袖パネル前面に露出しないので美観上も良好であると共に、袖パネルの前面に傷がついた場合には、袖パネルごと取り替えることで対応することができる。
【図面の簡単な説明】
【図１】扉装置の正面図であって、建物開口部を開閉する扉体、該扉体の脇に設けた袖パネルを表している。
【図２】左図は図１における扉体の縦断面図であり、右図は図１における袖パネルの縦断面図である。
【図３】図１における扉体及び袖パネルを有する扉装置の横断面図である。
【図４】袖パネルと中竪枠の関係を示す図であって、上図は袖パネル及び竪枠の横断面図、中間図及び下図は中竪枠に形成した切欠部を示す図である。
【符号の説明】
３  竪枠
４  竪枠
５  扉体
５０  戸先側端面
６  袖パネル
６２  戸先側端面
７  中竪枠
７０  扉体側壁面
７１  パネル側壁面
７４  切欠部
１０  ストライク
１１  螺子
１２  隠し丁番
【図１】
2005016142.tif 000003
【図２】
2005016142.tif 000004
【図３】
2005016142.tif 000005
【図４】
2005016142.tif 000006